(57)【要約】冷凍サイクル装置に充填された冷媒に占めるジフルオロメタンの混合割合に応じて、冷凍サイクル装置を正常な運転ができる状態にする。冷凍サイクル装置（１）は、圧縮機（１１）を有する冷媒回路（１００）を備え、冷媒回路（１００）で圧縮機（１１）により冷媒を循環させて冷凍サイクルを行う。熱源側コントローラ（４１）の判断部は、冷媒回路（１００）に充填されている冷媒に占めるジフルオロメタンの混合割合を判断する。熱源側コントローラ（４１）の制御部は、判断部が判断したジフルオロメタンの混合割合に基づいて冷凍サイクルに関する制御を行う。判断部は、所定条件下での運転における圧縮機（１１）の冷媒の吐出温度に基づいてジフルオロメタンの混合割合を判断するか、又は、冷媒回路（１００）に充填される複数種類の冷媒の重量に基づいてジフルオロメタンの混合割合を判断する。
2020066924.tif 000002
【特許請求の範囲】
【請求項１】
圧縮機（１１）を有し、前記圧縮機により冷媒を循環させて冷凍サイクルを行う冷媒回路（１００）と、
前記冷媒回路に充填されている冷媒に占めるジフルオロメタンの混合割合を判断する判断部（４３）と、
前記冷凍サイクルに関する制御を行う制御部（４４）と
を備え、
前記判断部は、ジフルオロメタンの混合割合を判断し、
前記制御部は、前記判断部が判断したジフルオロメタンの混合割合に基づいて前記冷凍サイクルに関する制御を行う、冷凍サイクル装置（１）。
【請求項２】
前記判断部は、所定条件下での運転における前記圧縮機の冷媒の吐出温度に基づいてジフルオロメタンの混合割合を判断するか、又は、前記冷媒回路に充填される複数種類の冷媒の重量に基づいてジフルオロメタンの混合割合を判断する、
請求項１に記載の冷凍サイクル装置（１）。
【請求項３】
前記冷媒回路に充填される冷媒がＲ４１０Ａ冷媒及びＲ３２冷媒であり、
前記判断部が、前記冷媒回路に充填されるＲ４１０Ａ冷媒の重量とＲ３２冷媒の重量に基づいてジフルオロメタンの混合割合を判断する、
請求項１または請求項２に記載の冷凍サイクル装置（１）。
【請求項４】
前記冷媒回路に充填されている冷媒に占めるジフルオロメタンの混合割合が、前記冷媒回路に充填されている冷媒に占めるペンタフルオロエタンの混合割合よりも多い、
請求項３に記載の冷凍サイクル装置（１）。
【請求項５】
前記判断部は、冷凍サイクル装置の設置時の冷媒の追加充填までに予め充填されている初期充填冷媒の組成及び重量と、設置時に追加充填される追加充填冷媒の組成及び重量とに基づいてジフルオロメタンの混合割合を判断する、
請求項１から４のいずれか一項に記載の冷凍サイクル装置（１）。
【請求項６】
前記初期充填冷媒がＲ３２冷媒であり、前記追加充填冷媒がＲ４１０Ａ冷媒である、
請求項５に記載の冷凍サイクル装置（１）。
【請求項７】
前記判断部が判断したジフルオロメタンの混合割合が所定割合に比べて大きい場合の前記圧縮機の最低回転数が前記所定割合のときの最低回転数より大きい、
請求項１から６のいずれか一項に記載の冷凍サイクル装置（１）。
【請求項８】
前記圧縮機は、圧縮室における吸入側と吐出側の間に高圧冷媒と低圧冷媒の間である中間圧冷媒を注入するインジェクションポートを有し、
前記判断部が判断したジフルオロメタンの混合割合が５０重量％に比べて大きい場合にはジフルオロメタンの混合割合が５０重量％の場合より前記インジェクションポートに注入する頻度が多く、且つジフルオロメタンの混合割合が１００重量％に比べて小さい場合にはジフルオロメタンの混合割合が１００重量％の場合より前記インジェクションポートに注入する頻度が少ない、
請求項１から７のいずれか一項に記載の冷凍サイクル装置（１）。
【請求項９】
前記冷媒回路は、前記冷凍サイクルにおいて膨張弁（２５ａ）を有し、
前記判断部が判断したジフルオロメタンの混合割合が５０重量％に比べて大きい場合にはジフルオロメタンの混合割合が５０重量％の場合より圧縮機起動時の前記膨張弁の開度が小さく、且つジフルオロメタンの混合割合が１００重量％に比べて小さい場合にはジフルオロメタンの混合割合が１００重量％の場合より圧縮機起動時の前記膨張弁の開度が大きい、
請求項１から８のいずれか一項に記載の冷凍サイクル装置（１）。
【請求項１０】
圧縮機（１１）を有し、前記圧縮機により冷媒を循環させて冷凍サイクルを行う冷媒回路（１００）を備える冷凍サイクル装置（１）の制御方法であって、
前記冷媒回路に充填されている冷媒に占めるジフルオロメタンの混合割合を判断するステップと、
冷媒の中のジフルオロメタンの混合割合に基づいて前記冷凍サイクルに関する制御を行うステップと
を備える、冷凍サイクル装置の制御方法。
【発明の詳細な説明】
【技術分野】
【０００１】
冷媒を循環させて冷凍サイクルを行う冷凍サイクル装置及びその制御方法
【背景技術】
【０００２】
冷凍サイクルを行なう冷媒回路を備える冷凍サイクル装置は、空気調和装置及び給湯器などに適用されている。また、冷凍サイクル装置は、例えば特許文献１（特開２００３−２４０３８８号公報）に記載されているように、冷凍サイクル装置の更新を行なう際に既設配管を利用する場合がある。特許文献１に記載されている冷凍サイクル装置では、例えば、ポンプダウン運転によって液冷媒が熱源ユニットの室外熱交換器に集められて回収される。通常、冷媒サイクル装置の更新時に回収された冷媒は、工場に搬送されて処分されるか、あるいは工場に搬送されて再生される。
【発明の概要】
【発明が解決しようとする課題】
【０００３】
しかしながら、冷媒回路に正規の２種類の冷媒が充填される場合があり、また回収された冷媒と正規の冷媒を混合充填される場合がある。このような場合、充填される冷媒によっては、ジフルオロメタンの割合が正規の冷媒におけるジフルオロメタンの割合と異なる場合がある。冷凍サイクル装置に充填された冷媒に占めるジフルオロメタンの混合割合が異なってくると、冷凍サイクル装置の制御が変わらなくても冷凍サイクルの状態が変わってしまって正常な運転状態を保てなくなる場合がある。【０００４】
本開示の課題は、冷凍サイクル装置に充填された冷媒に占めるジフルオロメタンの混合割合に応じて、冷凍サイクル装置を正常な運転ができる状態にすることである。
【課題を解決するための手段】
【０００５】
第１観点の冷凍サイクル装置は、圧縮機を有し、圧縮機により冷媒を循環させて冷凍サイクルを行う冷媒回路と、冷媒回路に充填されている冷媒に占めるジフルオロメタンの混合割合を判断する判断部と、冷凍サイクルに関する制御を行う制御部とを備える。判断部は、ジフルオロメタンの混合割合を判断し、制御部は、判断部が判断したジフルオロメタンの混合割合に基づいて冷凍サイクルに関する制御を行う。【０００６】
第１観点の冷凍サイクル装置では、判断部の判断したジフルオロメタンの混合割合に基づいて冷凍サイクルに関する制御を制御部が行うので、冷凍サイクルを適切に制御することができ、冷凍サイクル装置が正常な運転ができる状態に保つことができる。【０００７】
第２観点の冷凍サイクル装置は、第１観点の冷凍サイクル装置であって、前記判断部は、所定条件下での運転における前記圧縮機の冷媒の吐出温度に基づいてジフルオロメタンの混合割合を判断するか、又は、前記冷媒回路に充填される複数種類の冷媒の重量に基づいてジフルオロメタンの混合割合を判断する、ものである。【０００８】
第２観点の冷凍サイクル装置では、ジフルオロメタンの混合割合に基づいて冷凍サイクルに関する制御を行う際のジフルオロメタンの混合割合が、判断部により、所定条件下での運転における圧縮機の冷媒の吐出温度に基づいて判断され、又は、冷媒回路に充填される複数種類の冷媒の重量に基づいて判断される。このことから、冷凍サイクルに関する制御に影響を与えるジフルオロメタンの混合割合の判断を判断部で容易に行うことができ、冷凍サイクル装置を正常な運転ができる状態に容易に保つことができる。【０００９】
第３観点の冷凍サイクル装置は、第１観点または第２観点の冷凍サイクル装置であって、冷媒回路に充填される冷媒がＲ４１０Ａ冷媒及びＲ３２冷媒であり、判断部が、冷媒回路に充填されるＲ４１０Ａ冷媒の重量とＲ３２冷媒の重量に基づいてジフルオロメタンの混合割合を判断する、ものである。【００１０】
第３観点の冷凍サイクル装置では、判断部がＲ４１０Ａ冷媒の重量とＲ３２冷媒の重量に基づいてジフルオロメタンの混合割合を判断することから、ジフルオロメタンの混合割合の判断が精度よく行われる。そのため、冷凍サイクル装置は、冷凍サイクルに関する制御を精度よく行うことができる。【００１１】
第４観点の冷凍サイクル装置は、第３観点の冷凍サイクル装置であって、冷媒回路に充填されている冷媒に占めるジフルオロメタンの混合割合が、冷媒回路に充填されている冷媒に占めるペンタフルオロエタンの混合割合よりも多い。【００１２】
第４観点の冷凍サイクル装置では、冷媒回路に充填されている冷媒に占めるジフルオロメタンの混合割合がペンタフルオロエタンの混合割合よりも多いことから、冷媒回路に充填されている冷媒の性質がＲ３２に大きく影響される。そのため、冷凍サイクル装置が冷凍サイクルについて正常な運転を維持できるようにする効果が顕著になる。【００１３】
第５観点の冷凍サイクル装置は、第１観点から第４観点のいずれかの冷凍サイクル装置であって、判断部は、冷凍サイクル装置の設置時の冷媒の追加充填までに予め充填されている初期充填冷媒の組成及び重量と、設置時に追加充填される追加充填冷媒の組成及び重量とに基づいてジフルオロメタンの混合割合を判断する。【００１４】
第５観点の冷凍サイクル装置では、判断部が初期充填冷媒の組成及び重量と追加充填冷媒の組成及び重量とに基づいてジフルオロメタンの混合割合を判断することから、ジフルオロメタンの混合割合の判断の精度が向上する。【００１５】
第６観点の冷凍サイクル装置は、第５観点の冷凍サイクル装置であって、初期充填冷媒がＲ３２冷媒であり、追加充填冷媒がＲ４１０Ａ冷媒である。【００１６】
第６観点の冷凍サイクル装置では、初期充填冷媒及び追加充填冷媒組成がＲ３２とＲ４１０Ａに決まっていることから、判断部が組成に関する情報を得る必要がなくなる。その結果、ジフルオロメタンの混合割合を判断する操作を簡易化することができる。【００１７】
第７観点の冷凍サイクル装置は、第１観点から第６観点のいずれかの冷凍サイクル装置であって、判断部が判断したジフルオロメタンの混合割合が所定割合に比べて大きい場合の圧縮機の最低回転数が所定割合のときの最低回転数より大きい。【００１８】
第７観点の冷凍サイクル装置では、判断部が判断したジフルオロメタンの混合割合が所定割合に比べて大きい場合に圧縮機の最低回転数が所定割合のときの最低回転数より大きいことにより、圧縮機に吸入される冷媒の乾き度が小さくなりすぎない。それにより冷凍サイクル装置は正常な運転ができる状態を保つことができる。【００１９】
第８観点の冷凍サイクル装置は、第１観点から第７観点のいずれかの冷凍サイクル装置であって、圧縮機は、圧縮室における吸入側と吐出側の間に高圧冷媒と低圧冷媒の間である中間圧冷媒を注入するインジェクションポートを有し、判断部が判断したジフルオロメタンの混合割合が５０重量％に比べて大きい場合にはジフルオロメタンの混合割合が５０重量％の場合よりインジェクションポートに注入する頻度が多く、且つジフルオロメタンの混合割合が１００重量％に比べて小さい場合にはジフルオロメタンの混合割合が１００重量％の場合よりインジェクションポートに注入する頻度が少ない。【００２０】
第８観点の冷凍サイクル装置では、ジフルオロメタンの混合割合が多くなると圧縮機からの吐出温度が上がりやすくなるが、ジフルオロメタンの混合割合が多い場合にインジェクションの頻度が多くなることで吐出温度の上がりすぎが抑制される。その結果、ジフルオロメタンの混合割合が少ない場合にインジェクションの頻度が少なくなることで過度のインジェクションによる効率の低下が抑制される。【００２１】
第９観点の冷凍サイクル装置は、第１観点から第８観点のいずれかの冷凍サイクル装置であって、冷媒回路は、冷凍サイクルにおいて膨張弁を有し、判断部が判断したジフルオロメタンの混合割合が５０重量％に比べて大きい場合にはジフルオロメタンの混合割合が５０重量％の場合より圧縮機起動時の膨張弁の開度が小さく、且つジフルオロメタンの混合割合が１００重量％に比べて小さい場合にはジフルオロメタンの混合割合が１００重量％の場合より圧縮機起動時の膨張弁の開度が大きい。【００２２】
第９観点の冷凍サイクル装置では、ジフルオロメタンの混合割合が多くなると熱の搬送量が多くなることから、ジフルオロメタンの混合割合が多い場合に圧縮機起動時の膨張弁の開度が小さく、ジフルオロメタンの混合割合が少ない場合に膨張弁の起動時の開度が大きくなる。それにより、冷媒による熱の搬送量の変化により冷凍サイクルの状態が変わっても冷凍サイクル装置は適正な動作をすることができる。【００２３】
第１０観点の冷凍サイクル装置の制御方法は、圧縮機を有し、圧縮機により冷媒を循環させて冷凍サイクルを行う冷媒回路を備える冷凍サイクル装置の制御方法であって、冷媒回路に充填されている冷媒に占めるジフルオロメタンの混合割合を判断するステップと、冷媒の中のジフルオロメタンの混合割合に基づいて冷凍サイクルに関する制御を行うステップとを備える。ジフルオロメタンの混合割合を判断するステップでは、所定条件下での運転における圧縮機の冷媒の吐出温度に基づいてジフルオロメタンの混合割合を判断する、又は、冷媒回路に充填される複数種類の冷媒の重量に基づいてジフルオロメタンの混合割合を判断する。【００２４】
第１０観点の冷凍サイクル装置の制御方法では、ジフルオロメタンの混合割合を判断し、ジフルオロメタンの混合割合に基づいて冷凍サイクルに関する制御を行うので、冷凍サイクルを適切に制御することができる。その結果、冷凍サイクル装置は正常な運転ができる状態を保つことができる。
【図面の簡単な説明】
【００２５】
【図１】実施形態に係る冷凍サイクル装置の構成の概要を示す冷媒回路図。
【図２】第１熱源ユニットから第２熱源ユニットへの冷媒の移送を説明するための模式図。
【図３】第１熱源ユニットから第２熱源ユニットに移送される冷媒の重量の測定を説明するための模式図。
【図４】冷凍サイクル装置の制御フローの一部を示すフローチャート。
【図５】冷凍サイクル装置の制御系統の概要を示すブロック図。
【図６】Ｒ３２冷媒の重量の測定を説明するための模式図。
【図７】変形例１Ｆにおける冷媒の重量の測定を説明するための模式図。
【図８】変形例１Ｆにおける冷媒の重量の測定を説明するための模式図。
【図９】変形例１Ｇにおける冷媒の重量の測定を説明するための模式図。
【図１０】変形例１Ｈにおける冷媒の重量の測定を説明するための模式図。
【図１１】第２熱源ユニットの運送を説明するための概念図。
【図１２】変形例１Ｌのジフルオロメタンの混合割合の判断を説明するためのグラフ。
【発明を実施するための形態】
【００２６】
（１）全体構成
図１には、冷媒充填方法の対象となる冷凍サイクル装置の構成の一例が示されている。図１に示されている冷凍サイクル装置１は、冷媒回路１００を循環する冷媒によって冷凍サイクルを行う装置である。冷凍サイクル装置１は、冷媒の圧縮と、冷媒からの放熱と、冷媒の減圧膨張と、冷媒への吸熱のサイクルを繰り返す。冷凍サイクル装置１は、冷凍サイクルにおける放熱の機能を有するかまたは吸熱の機能を有するかを切り換えることができる第１熱源ユニット１０Ａ若しくは第２熱源ユニット１０Ｂと、第１熱源ユニット１０Ａ若しくは第２熱源ユニット１０Ｂに接続されている利用ユニット５０とを備えている。ここで、第１熱源ユニット１０Ａが更新前の熱源ユニットであり、第２熱源ユニット１０Ｂが更新後の熱源ユニットである。
【００２７】
利用ユニット５０は、第１熱源ユニット１０Ａまたは第２熱源ユニット１０Ｂが冷媒から放熱させる熱源となっている場合には、冷媒が吸熱することを利用して対象の冷却を行う。また、利用ユニット５０は、第１熱源ユニット１０Ａまたは第２熱源ユニット１０Ｂが冷媒に吸熱させる熱源となっている場合には、冷媒が放熱することを利用して対象の加熱を行う。
【００２８】
第１熱源ユニット１０Ａ及び第２熱源ユニット１０Ｂを循環する冷媒は、例えばＲ４１０Ａ冷媒のようなジフルオロメタンとペンタフルオロエタンを含む混合冷媒である。ここでは、混合冷媒がＲ４１０Ａ冷媒、更新時に追加充填される冷媒がＲ３２冷媒である場合を例に挙げて説明する。Ｒ４１０Ａ冷媒がジフルオロメタンとペンタフルオロエタンの混合冷媒であるため、後述する回収冷媒もＲ４１０Ａ冷媒と同様に混合冷媒となっている。また、Ｒ３２冷媒は、フルオロメタンの単一冷媒である。
【００２９】
また、第１熱源ユニット１０Ａ及び第２熱源ユニット１０Ｂ並びにこれらのうちの一方を含む冷凍サイクル装置１が、ジフルオロメタンとペンタフルオロエタンを含む混合冷媒に対応できる仕様になっている。
【００３０】
冷凍サイクル装置１は、冷暖房を行う空気調和装置に適用することができ、その場合には例えば第１熱源ユニット１０Ａまたは第２熱源ユニット１０Ｂが空気調和装置の室外機になり、利用ユニット５０が空気調和装置の室内機になる。室内機である利用ユニット５０は、空調対象空間の空気を冷却し、または加熱して、冷房または暖房を行う。なお、ここでは、冷凍サイクル装置１が空気調和装置に適用される場合を例に挙げて説明するが、冷凍サイクル装置は、他の装置にも適用でき、例えば、ヒートポンプ給湯器、冷蔵庫、及び庫内を冷却する冷却装置に適用することができる。
【００３１】
図２及び図３には、冷凍サイクル装置１が空気調和装置である場合について、冷凍サイクル装置１が建物２００に設置されている例が示されている。図２に示されている例では、第１熱源ユニット１０Ａまたは第２熱源ユニット１０Ｂが建物２００の屋上に設置される。複数の利用ユニット５０は、図２に示されているように、建物２００の中の各部屋の空調を行うために、各部屋に設置されている。
【００３２】
以下に説明する、上述のような既設の冷凍サイクル装置１は、冷媒を循環させて冷凍サイクルを行う冷媒回路１００を備えている。冷媒回路１００は、冷媒を循環させるための圧縮機１１を有している。また、冷凍サイクル装置１は、第１熱源ユニット１０Ａ若しくは第２熱源ユニット１０Ｂの動作を制御する熱源側コントローラ４１と、利用ユニット５０の動作を制御する利用側コントローラ４２とを備えている。
【００３３】
第２熱源ユニット１０Ｂの熱源側コントローラ４１は、図５に示されているように、冷媒回路１００に充填されている冷媒に占めるジフルオロメタンの混合割合を判断する判断部４３と、判断部４３が判断したジフルオロメタンの混合割合に基づいて冷凍サイクルに関する制御を行う制御部４４とを含んでいる。判断部４３は、冷媒回路１００に充填される複数種類の冷媒の重量に基づいてジフルオロメタンの混合割合を判断する機能を有している。
【００３４】
図４のフローチャートに記載されているように、冷凍サイクル装置１は、その制御に、冷媒回路１００に充填されている冷媒に占めるジフルオロメタンの混合割合を判断するステップＳ１と、冷媒の中のジフルオロメタンの混合割合に基づいて冷凍サイクルの制御を行うステップＳ２とを含んでいる。ステップＳ２では、判断部４３が、冷媒回路１００に充填される複数種類の冷媒の重量に基づいてジフルオロメタンの混合割合を判断する。
【００３５】
ここでは、混合冷媒に占めるジフルオロメタンの混合割合が変更される場合として、冷凍サイクル装置１において、第１熱源ユニット１０Ａから第２熱源ユニット１０Ｂに変更される場合を例に挙げて説明する。
【００３６】
図２及び図３には、既設の冷凍サイクル装置１に含まれている更新前の第１熱源ユニット１０Ａと、更新後に冷凍サイクル装置１に含まれる予定の第２熱源ユニット１０Ｂが示されている。言い換えると、第１熱源ユニット１０Ａが旧熱源ユニットであり、第２熱源ユニット１０Ｂが新熱源ユニットである。既設の冷凍サイクル装置１は、既に建物２００に設置されており、更新前に冷媒を循環させて冷凍サイクルを行った実績がある。冷凍サイクル装置１に含まれている第１熱源ユニット１０Ａ及び複数の利用ユニット５０の中には冷媒が存在している。ここでは、冷媒回路１００の中を循環させる目的で冷凍サイクル装置１が内部に有している冷媒を、循環冷媒という。
【００３７】
建物２００の屋上では、ポンプダウン運転によって冷凍サイクル装置１の循環冷媒が第１熱源ユニット１０Ａに移された状態で、第１熱源ユニット１０Ａが冷凍サイクル装置１から取り外される。第１熱源ユニット１０Ａが取り外されるときには、第１熱源ユニット１０Ａの高圧側閉鎖弁２１と低圧側閉鎖弁２２が閉じられている。
【００３８】
次に、冷凍サイクル装置１に第２熱源ユニット１０Ｂが組み込まれる。第２熱源ユニット１０Ｂが組み込まれた更新後の冷凍サイクル装置１に対して、例えば、冷凍サイクル装置１の気密が検査される。冷凍サイクル装置１の気密が確認された後に真空ポンプによって冷凍サイクル装置１が真空引きされる。
【００３９】
図２には、第１熱源ユニット１０Ａから第２熱源ユニット１０Ｂに冷媒が移されている状態が模式的に示されている。第２熱源ユニット１０Ｂは、更新後の冷凍サイクル装置１に組み込まれた状態で、電源２１０に接続されており、駆動可能な状態になっている。また、第１熱源ユニット１０Ａと第２熱源ユニット１０Ｂがチャージホース７０で接続されている。第２熱源ユニット１０Ｂを駆動することによって、Ｒ４１０Ａ冷媒が、チャージホース７０を通って第１熱源ユニット１０Ａから第２熱源ユニット１０Ｂに移される。この第１熱源ユニット１０Ａから第２熱源ユニット１０Ｂへの冷媒の移送によって回収冷媒が得られる。このとき、第１熱源ユニット１０Ａは、例えば建物２００の屋上に仮置きされた状態になっていて電源２１０には接続されていない。
【００４０】
図３には、第１熱源ユニット１０Ａから第２熱源ユニット１０Ｂに回収された回収冷媒の重量を測定している状態が示されている。第１熱源ユニット１０Ａは、計量器６１で重量を計量される。計量器６１による第１熱源ユニット１０Ａから回収された回収冷媒の計量は、第１熱源ユニット１０Ａから回収冷媒が移される前と、第１熱源ユニット１０Ａから回収冷媒が移された後の両方で、第１熱源ユニット１０Ａの重量を測定することにより行われる。第１熱源ユニット１０Ａから回収冷媒が移された後の第１熱源ユニット１０Ａについての計量器６１の計量値から、第１熱源ユニット１０Ａから回収冷媒が移される前の第１熱源ユニット１０Ａについての計量器６１の計量値を差し引くことで、回収冷媒の重量を算出することができる。
【００４１】
回収冷媒の移送された第２熱源ユニット１０Ｂが冷凍サイクル装置１に組み込まれることによって、冷凍サイクル装置１への回収冷媒の移送が完了する。図６に示されているように、回収冷媒（混合冷媒）が移送された冷凍サイクル装置１に、追加冷媒としてＲ３２冷媒が充填される。ボンベ８５から第２熱源ユニット１０ＢにＲ３２冷媒を移送する方法は、第１熱源ユニット１０Ａから第２熱源ユニット１０Ｂに回収冷媒を移送する方法と同様である。
【００４２】
第２熱源ユニット１０Ｂが組み込まれた更新後の冷凍サイクル装置１にとって適正な冷媒の総重量は、第１熱源ユニット１０Ａが組み込まれた既設の冷凍サイクル装置１のデータを用いて、予め計算することができる。測定システム６０により測定された回収冷媒の重量を、更新後の冷凍サイクル装置１にとっての適正な冷媒の総重量から差し引くことで、不足する冷媒の重量を得ることができ、Ｒ３２冷媒の充填量を決めることができる。図６に示されているように、第２熱源ユニット１０Ｂに追加されるＲ３２冷媒の充填量は、ボンベ８０の重量の減少を計量器６１で測定することによって検出することができる。
【００４３】
（２）詳細構成
（２−１）冷凍サイクル装置１の構成
図１に示されている冷凍サイクル装置１は、１台の第１熱源ユニット１０Ａまたは第２熱源ユニット１０Ｂと複数台の利用ユニット５０が冷媒連絡配管８１，８２によって接続されている。冷凍サイクル装置１においては、第１熱源ユニット１０Ａまたは第２熱源ユニット１０Ｂの中の熱源側回路１１０と、利用ユニット５０の中の利用側回路１２０とが接続されて冷媒回路１００が構成されている。この冷凍サイクル装置１においては、この冷媒回路１００の中を冷媒が循環することにより、蒸気圧縮式の冷凍サイクルが繰り返される。ここでは、冷凍サイクル装置１が空気調和装置に適用されている例を説明する。
【００４４】
（２−１−１）第１熱源ユニット１０Ａ、第２熱源ユニット１０Ｂ
ここでは、説明を簡素化するために、更新前の第１熱源ユニット１０Ａと更新後の第２熱源ユニット１０Ｂとが同じ構成である場合について説明するが、これらの構成が同じでなくても本開示に係る技術を適用することは可能である。第１熱源ユニット１０Ａも第２熱源ユニット１０Ｂも、例えば、図１に示されているように、圧縮機１１と、油分離器１２と、四方弁１３と、熱源側熱交換器１４と、過冷却熱交換器１５と、アキュムレータ１６と、冷媒調整器１８と、油調整器１９と、熱源側ファン２０と、高圧側閉鎖弁２１と、低圧側閉鎖弁２２と、チャージポート２３と、第１膨張弁２５ａ〜第３膨張弁２５ｃと、第１電磁弁２６ａ〜第６電磁弁２６ｆと、第１逆止弁２７ａ〜第４逆止弁２７ｄと、第１圧力調整弁２８ａ〜第３圧力調整弁２８ｃと、キャピラリーチューブ２９と、複数のフィルタ３０と、ストレーナ３１とを備えている。
【００４５】
熱源側熱交換器１４は、例えばフィンアンドチューブ式の熱交換器であって空気と冷媒との間で熱交換を行う。過冷却熱交換器１５には、例えばプレート式熱交換器を用いることができる。第１電磁弁２６ａ〜第６電磁弁２６ｆは、流路の開閉機能を有する。第１圧力調整弁２８ａ〜第３圧力調整弁２８ｃは、上流側の冷媒の圧力を予め定められた所定の絶対圧力に保つ機能を有する。第１圧力調整弁２８ａ〜第３圧力調整弁２８ｃに付された矢印の先が第１圧力調整弁２８ａ〜第３圧力調整弁２８ｃの下流側を示している。フィルタ３０は、通過する冷媒から異物を取り除く機能を有する。ストレーナ３１は、冷媒から固形成分を取り除く機能を有する。
【００４６】
圧縮機１１の吐出側は、油分離器１２と第１逆止弁２７ａを介して、四方弁１３の第１ポートに接続されている。圧縮機１１から吐出される冷媒は、油分離器１２で油を分離されて、四方弁１３の第１ポートに向って流れる。四方弁１３の第２ポートが熱源側熱交換器１４の一方出入口に接続され、四方弁１３の第３ポートがアキュムレータ１６の入口に接続され、四方弁１３の第４ポートが低圧側閉鎖弁２２に接続されている。四方弁１３において、冷房運転時には実線で示されているように、第１ポートと第２ポートが連通するとともに第３ポートと第４ポートが連通し、暖房運転時には破線で示されているように、第１ポートと第４ポートが連通するとともに第２ポートと第３ポートが連通する。
【００４７】
熱源側熱交換器１４の他方出入口は、第１膨張弁２５ａの一端に接続され、第１膨張弁２５ａを介して高圧側閉鎖弁２１に接続されている。第１膨張弁２５ａの他端と高圧側閉鎖弁２１との間に過冷却熱交換器１５が設置されている。第１膨張弁２５ａは、熱源側熱交換器１４の液側に設けられており、通過する冷媒の減圧程度を調節することができる。過冷却熱交換器１５と、過冷却回路３２ａと、第２膨張弁２５ｂとが過冷却部３２を構成している。過冷却回路３２ａは、第１膨張弁２５ａの他端から高圧側閉鎖弁２１に向けて延びる部分の分岐点Ｐ１から分岐し、過冷却熱交換器１５を通って、四方弁１３とアキュムレータ１６との間の合流点Ｐ２に接続する。分岐点Ｐ１と過冷却熱交換器１５の間に設けられている第２膨張弁２５ｂは、過冷却回路３２ａを通過する冷媒の減圧程度を調節することができる。過冷却熱交換器１５は、分岐点Ｐ１と高圧側閉鎖弁２１との間を流れる冷媒と、過冷却回路３２ａにおいて分岐点Ｐ１から合流点Ｐ２に向って流れる冷媒との間で熱交換を行わせる。
【００４８】
過冷却回路３２ａにおいて、過冷却熱交換器１５から合流点Ｐ２に向って順に、分岐点Ｐ３、第１電磁弁２６ａ、合流点Ｐ４、第２逆止弁２７ｂが設けられている。分岐点Ｐ１と合流点Ｐ４とは第１圧力調整弁２８ａを介して接続され、分岐点Ｐ１から合流点Ｐ４に向って冷媒が流れる。分岐点Ｐ３は、圧縮機１１のインジェクションポートに接続されている。従って、第２膨張弁２５ｂで減圧された中間圧の冷媒が、過冷却熱交換器１５から出て第１電磁弁２６ａの上流で分岐されて、圧縮機１１のインジェクションポートに流入する。
【００４９】
アキュムレータ１６の一方の出口は、ガス冷媒を圧縮機１１の吸入側に戻すために圧縮機１１の吸入側に直接接続され、アキュムレータ１６の他方の出口は、油戻しのためにフィルタ３０と第２電磁弁２６ｂとを介して圧縮機１１の吸入側に接続されている。また、圧縮機１１の吸入側と油分離器１２との間には、分離された油を圧縮機１１に戻すために、フィルタ３０と第３電磁弁２６ｃとキャピラリーチューブ２９とを通過する経路が形成されている。
【００５０】
圧縮機１１の吸入側には、第３膨張弁２５ｃを介して、冷媒調整器１８の一方出入口が接続されている。冷媒調整器１８は、冷媒回路１００を流れる冷媒量を調整する機器である。冷媒調整器１８の他方出入口は、第２圧力調整弁２８ｂを介して合流点Ｐ２に接続されている。また、冷媒調整器１８の他方出入口には、第４電磁弁２６ｄと第３逆止弁２７ｃを介して第１逆止弁２７ａの流出側が接続されている。冷媒調整器１８は、冷媒回路１００に流れる冷媒の量を一定に保つ機能を有する。
【００５１】
また、圧縮機１１の吸入側には、第６電磁弁２６ｆを介して油調整器１９の一方出入口が接続されている。油調整器１９の他方出入口は、第３圧力調整弁２８ｃを介して合流点Ｐ２に接続されている。また、油調整器１９の他方出入口には、第５電磁弁２６ｅと第４逆止弁２７ｄを介して第１逆止弁２７ａの流出側が接続されている。油調整器１９は、冷媒回路１００に供給される油量を一定に保つ機能を有する。
【００５２】
熱源側熱交換器１４には、熱源側ファン２０が配置されている。熱源側ファン２０は、熱交換を促進するための気流を熱源側熱交換器１４に発生させる。
【００５３】
フィルタ３０は、油分離器１２と第１逆止弁２７ａとの間、熱源側熱交換器１４と第１膨張弁２５ａとの間、過冷却熱交換器１５と高圧側閉鎖弁２１との間、四方弁１３の第４ポートと低圧側閉鎖弁２２との間、アキュムレータ１６の他方出口と第２電磁弁２６ｂとの間、油分離器１２と第３電磁弁２６ｃとの間、第３膨張弁２５ｃと冷媒調整器１８の間及び油調整器１９と第６電磁弁２６ｆとの間に設けられている。ストレーナ３１は、油調整器１９と第３圧力調整弁２８の間に設けられている。チャージポート２３は、第３膨張弁２５ｃとフィルタ３０との間に設けられている。
【００５４】
（２−１−２）利用ユニット５０
各利用ユニット５０は、例えば、図１に示されているように、利用側熱交換器５１と、利用側膨張弁５２と、利用側ファン５３とを備えている。利用側熱交換器５１は、例えばフィンアンドチューブ式の熱交換器であって空気と冷媒との間で熱交換を行わせる。液側の冷媒連絡配管８１とガス側の冷媒連絡配管８２の間に、利用側膨張弁５２と利用側熱交換器５１が直列接続されている。利用側膨張弁５２と利用側熱交換器５１は、液側の冷媒連絡配管８１からガス側の冷媒連絡配管８２に向って、利用側膨張弁５２、利用側熱交換器５１の順に配置されている。各利用側熱交換器５１には、利用側ファン５３が配置されている。利用側ファン５３は、熱交換を促進するための気流を利用側熱交換器５１に発生させる。液側の冷媒連絡配管８１とガス側の冷媒連絡配管８２の間に並列に接続されている複数の利用ユニット５０により、利用側回路１２０が構成されている。
【００５５】
（２−１−３）第２熱源ユニット１０Ｂの制御系統
図５に示されているように、冷凍サイクル装置１の第２熱源ユニット１０Ｂの制御系統４０は、熱源側コントローラ４１と利用側コントローラ４２とを備えて構成されている。ここでは、利用ユニット５０が複数あるために利用側コントローラ４２が複数設けられている場合を説明しているが、利用ユニット５０が１台であれば利用側コントローラ４２も１つあればよい。また、熱源側コントローラ４１と利用側コントローラ４２のように分離せずに、１つのコントローラにまとめてもよい。
【００５６】
熱源側コントローラ４１は、判断部４３と制御部４４とを含んでいる。熱源側コントローラ４１は、圧縮機１１と、四方弁１３と、熱源側ファン２０と、第１膨張弁２５ａ〜第３膨張弁２５ｃと、第１電磁弁２６ａ〜第６電磁弁２６ｆとを制御し、冷凍サイクルに関する制御を行う。また、利用側コントローラ４２は、利用側膨張弁５２と、利用側ファン５３を制御し、冷凍サイクルに関する制御を行う。
【００５７】
上記実施形態では、熱源側コントローラ４１及び利用側コントローラ４２は、メモリに格納された実行可能なプログラム及びデータをＣＰＵよって解釈実行することで制御を行うように構成できる。このプログラム及びデータは、記録媒体を介してメモリ内に導入されてもよいし、記録媒体上から直接実行されてもよい。また、記録媒体からメモリへのプログラム及びデータの導入は、電話回線や搬送路等を介して行ってもよい。また、熱源側コントローラ４１及び利用側コントローラ４２は、ＣＰＵとメモリを用いて行うのと同様の制御を行うことができる集積回路（ＩＣ）を用いて構成されてもよい。ここでいうＩＣには、ＬＳＩ（large-scale integrated circuit）、ＡＳＩＣ（application-specific integrated circuit）、ゲートアレイ、ＦＰＧＡ（field programmable gate array）等が含まれる。
【００５８】
熱源側コントローラ４１及び利用側コントローラ４２は、複数の温度センサ及び複数の圧力センサなどを備えているが、ここでは本開示の技術の説明に必要な吐出管温度センサ９１を記載して、他のセンサの記載を省略する。熱源側コントローラ４１は、吐出管温度センサ９１の検出値に基づき圧縮機１１の冷媒の吐出温度を推定することができるように構成されている。
【００５９】
また、冷凍サイクル装置１は、制御系統４０に入力装置４６を含み、熱源側コントローラ４１は、入力装置４６に接続されている。作業者は、入力装置４６から、回収冷媒の重量及びＲ３２冷媒の重量を入力することができる。熱源側コントローラ４１は、入力された、回収冷媒の重量及びＲ３２冷媒の重量から循環冷媒に占めるジフルオロメタンの重量を算出することができる。例えば、回収冷媒がＲ４１０Ａ冷媒であれば、判断部４３が、ジフルオロメタンとペンタフルオロエタンの混合割合がそれぞれ５０重量％、５０重量％として、回収冷媒の重量及びＲ３２冷媒の重量から循環冷媒に占めるジフルオロメタンの混合割合を算出し、ジフルオロメタンの混合割合を判断する。
【００６０】
（２−１−４）冷房運転
冷凍サイクル装置１は、冷房運転では、四方弁１３を実線の状態、言い換えると第１ポートと第２ポートが連通するとともに第３ポートと第４ポートが連通する状態にする。冷房運転で行われる冷凍サイクルでは、熱源側熱交換器１４が放熱器として機能し、利用側熱交換器５１が蒸発器として機能する。圧縮機１１から吐出された冷媒は、熱源側熱交換器１４、利用側膨張弁５２、利用側熱交換器５１を順に循環して、圧縮、凝縮、膨張、蒸発の蒸気圧縮式の冷凍サイクルを繰り返す。
【００６１】
冷凍サイクル装置１は、圧縮機１１の運転周波数を利用側熱交換器５１における蒸発圧力または蒸発温度が目標圧力または目標蒸発温度となるように制御するとともに、利用側膨張弁５２の各弁開度を利用側熱交換器５１のガス側を流れる冷媒の過熱度が目標過熱度となるように制御する。冷房運転において、第１膨張弁２５ａは全開状態とされる。冷凍サイクル装置１は、過冷却熱交換器１５を出た冷媒の過熱度が目標過熱度となるように第２膨張弁２５ｂの開度を調節する。また、冷凍サイクル装置１は、所定条件を満たすときに、過冷却回路３２ａを流れる冷媒を分岐点Ｐ１と高圧側閉鎖弁２１との間を流れる冷媒と過冷却熱交換器１５において熱交換させて中間圧のガス冷媒とし、インジェクションポートから圧縮機１１の圧縮機構の圧縮途中の圧縮室に供給する。中間圧のガス冷媒を供給された圧縮機１１は、ガス冷媒を注入されない場合に比べて吐出温度を下げることができる。
【００６２】
（２−１−５）暖房運転
冷凍サイクル装置１は、暖房運転では、四方弁１３の破線の状態、言い換えると第１ポートと第４ポートが連通するとともに第２ポートと第３ポートが連通する状態にする。暖房運転で行われる冷凍サイクルでは、熱源側熱交換器１４が蒸発器として機能し、利用側熱交換器５１が放熱器として機能する。圧縮機１１から吐出された冷媒は、利用側熱交換器５１、第１膨張弁２５ａ、熱源側熱交換器１４を順に循環して、圧縮、凝縮、膨張、蒸発の蒸気圧縮式の冷凍サイクルを繰り返す。
【００６３】
暖房運転において、第２膨張弁２５ｂは全閉状態とされる。冷凍サイクル装置１は、圧縮機１１の運転周波数を利用側熱交換器５１における凝縮温度が目標凝縮温度となるように制御するとともに、利用側膨張弁５２の弁開度を利用側熱交換器５１の液側を流れる冷媒の過冷却度が目標過冷却度となるように制御する。冷凍サイクル装置１は、第１膨張弁２５ａの弁開度を、熱源側熱交換器１４のガス側を流れる冷媒の過熱度が目標過熱度になるように制御する。
【００６４】
（２−２）測定システム６０
測定システム６０は、図３に示されている計量器６１を含んでいる。計量器６１としては、例えば、台秤、吊り秤がある。計量器６１は、第１熱源ユニット１０Ａまたは第２熱源ユニット１０Ｂの重量を量れる機能を有するとともに、冷媒の重量を検出するための十分な分解能を有している。
【００６５】
（２−３）冷媒の移送
第１熱源ユニット１０Ａから第２熱源ユニット１０Ｂへの冷媒の移送では、例えば、第１熱源ユニット１０Ａが冷凍サイクル装置１に組み込まれていて可動可能な状態で、ポンプダウン運転によって、利用側回路１２０の冷媒を第１熱源ユニット１０Ａの熱源側回路１１０に移送する。その後、第１熱源ユニット１０Ａの高圧側閉鎖弁２１と低圧側閉鎖弁２２を閉じる。そして、ポンプダウン運転後に、第１熱源ユニット１０Ａの高圧側閉鎖弁２１と低圧側閉鎖弁２２を閉じて第１熱源ユニット１０Ａを取り外して仮置きの状態にする。ポンプダウン運転では、例えば、高圧側閉鎖弁２１を閉じて、第１熱源ユニット１０Ａを冷房運転する。高圧側閉鎖弁２１を閉じて、第１熱源ユニット１０Ａの熱源側熱交換器１４を凝縮器として機能させる運転を行う。低圧側閉鎖弁２２の圧力が十分に低くなったら、低圧側閉鎖弁２２を閉じる。
【００６６】
次に、第１熱源ユニット１０Ａを冷凍サイクル装置１から取り外し、第２熱源ユニット１０Ｂを冷凍サイクル装置１に組み込む。その後、図２に示されているように、第１熱源ユニット１０Ａの高圧側閉鎖弁２１のサービスポートと第２熱源ユニット１０Ｂのチャージポート２３とをチャージホース７０で接続する。ここでは、冷媒の移送手段が、チャージホース７０を含んでいる。第２熱源ユニット１０Ｂを運転して圧縮機１１を駆動し、第１熱源ユニット１０Ａの高圧側閉鎖弁２１のサービスポートから第２熱源ユニット１０Ｂのチャージポート２３へ冷媒を移送する。第２熱源ユニット１０Ｂを運転して圧縮機１１を駆動するときには、第３膨張弁２５ｃを閉じ、冷房運転を行い、冷媒調整器１８からアキュムレータ１６を通して圧縮機１１に吸入される経路で回収冷媒を吸入する。チャージポート２３及び高圧側閉鎖弁２１のサービスポートからチャージホース７０を取り外すことで、チャージポート２３及び高圧側閉鎖弁２１のサービスポートが閉じられる。
【００６７】
（２−４）ジフルオロメタンの混合割合に基づく冷凍サイクルに関する制御
冷凍サイクル装置１は、判断部４３が判断したジフルオロメタンの混合割合が所定割合に比べて大きい場合に、ジフルオロメタンの混合割合が所定割合の場合に比べて圧縮機１１の最低回転数が大きい状態で運転される。
【００６８】
例えば、所定割合が、ジフルオロメタンの混合割合が５０重量％でペンタフルオロエタンの混合割合が５０重量％であるとする。このとき、判断部４３が判断したジフルオロメタンの混合割合が６０重量％でペンタフルオロエタンの混合割合が４０重量％の場合には、ジフルオロメタンの混合割合とペンタフルオロエタンの混合割合が所定割合である場合に比べて、圧縮機１１の最低回転数が大きい状態で、冷凍サイクル装置１が運転される。
【００６９】
そのために、制御部４４は、例えば、ジフルオロメタンの混合割合が所定割合の場合に比べてジフルオロメタンの混合割合が所定割合よりも大きい場合の方が、圧縮機１１の最低回転数の設定を大きくする制御に変更するように構成される。例えば、ジフルオロメタンの混合割合が５０重量％でペンタフルオロエタンの混合割合が５０重量％である場合に比べてジフルオロメタンの混合割合が６０重量％でペンタフルオロエタンの混合割合が４０重量％の場合の方が、圧縮機１１の最低回転数の設定を所定パーセント増加させるように、制御部４４が構成されるなどである。このような構成を実現するには、最低回転数の設定値とジフルオロメタンの混合割合との関係が記述されたテーブルを制御部４４が記憶しておき、制御部４４がそのテーブルに従って制御を変更する。あるいは、最低回転数の設定値とジフルオロメタンの混合割合との関係を規定する数式を制御部４４が記憶しておき、その数式に従って制御を変更するように制御部４４を構成できる。
【００７０】
また、既に説明した冷凍サイクル装置１の圧縮機１１は、圧縮室における吸入側と吐出側の間に高圧冷媒と低圧冷媒の間である中間圧冷媒を注入するインジェクションポートを有している。そして、判断部４３が判断したジフルオロメタンの混合割合が５０重量％に比べて大きい場合にはジフルオロメタンの混合割合が５０重量％の場合と比べて圧縮機１１のインジェクションポートに注入する頻度が多く、且つジフルオロメタンの混合割合が１００重量％に比べて小さい場合にはジフルオロメタンの混合割合が１００重量％の場合と比べてインジェクションポートに注入する頻度が少ない状態で運転される。
【００７１】
そのために、制御部４４は、例えば、インジェクションを行うか否かを圧縮機１１の吐出温度が吐出温度の設定閾値を超えるか否かで判断しているときには、ジフルオロメタンの混合割合が５０重量％に比べて大きい場合にはジフルオロメタンの混合割合が５０重量％の場合と比べて、吐出温度の設定閾値を下げる制御の変更を行うように構成される。また、制御部４４は、例えば、ジフルオロメタンの混合割合が１００重量％に比べて小さい場合にはジフルオロメタンの混合割合が１００重量％の場合と比べて、吐出温度の設定閾値を上げる制御の変更を行うように構成される。
【００７２】
例えば、ジフルオロメタンの混合割合が５０重量％でペンタフルオロエタンの混合割合が５０重量％である場合に比べてジフルオロメタンの混合割合が６０重量％でペンタフルオロエタンの混合割合が４０重量％の場合の方が、吐出温度の設定閾値を所定パーセント増加させるように、制御部４４が構成されるなどである。例えば、ジフルオロメタンの混合割合が１００重量％である場合に比べてジフルオロメタンの混合割合が８０重量％でペンタフルオロエタンの混合割合が２０重量％の場合の方が、吐出温度の設定閾値を所定パーセント減少させるように、制御部４４が構成されるなどである。このような構成を実現するには、吐出温度の設定閾値とジフルオロメタンの混合割合との関係が記述されたテーブルを制御部４４が記憶しておき、制御部４４がそのテーブルに従って制御を変更する。あるいは、吐出温度の設定閾値とジフルオロメタンの混合割合との関係を規定する数式を制御部４４が記憶しておき、その数式に従って制御を変更するように制御部４４を構成できる。
【００７３】
あるいは、制御部４４は、例えば、インジェクションを行うか否かを圧縮機１１の回転数が設定回転数を超えるか否かで判断しているときには、ジフルオロメタンの混合割合が５０重量％に比べて大きい場合にはジフルオロメタンの混合割合が５０重量％の場合と比べて、設定回転数を下げる制御の変更を行うように構成される。また、制御部４４は、例えば、ジフルオロメタンの混合割合が１００重量％に比べて小さい場合にはジフルオロメタンの混合割合が１００重量％の場合と比べて、設定回転数を上げる制御の変更を行うように構成される。このような構成を実現するには、インジェクションを行うか否かの判断基準である設定回転数とジフルオロメタンの混合割合との関係が記述されたテーブルを制御部４４が記憶しておき、制御部４４がそのテーブルに従って制御を変更する。あるいは、設定回転数とジフルオロメタンの混合割合との関係を規定する数式を制御部４４が記憶しておき、その数式に従って制御を変更するように制御部４４を構成できる。
【００７４】
また、既に説明した冷凍サイクル装置１の冷媒回路１００は、冷凍サイクルにおいて冷媒の圧力を下げる第１膨張弁２５ａを有している。そして、判断部４３が判断したジフルオロメタンの混合割合が５０重量％に比べて大きい場合にはジフルオロメタンの混合割合が５０重量％の場合と比べて第１膨張弁２５ａの起動時の開度が小さく、且つジフルオロメタンの混合割合が１００重量％に比べて小さい場合にはジフルオロメタンの混合割合が１００重量％の場合と比べて第１膨張弁２５ａの起動時の開度が大きい状態になる。
【００７５】
そのために、制御部４４は、例えば、ジフルオロメタンの混合割合が５０重量％に比べて大きい場合にはジフルオロメタンの混合割合が５０重量％の場合と比べて、起動時の第１膨張弁２５ａの開度を大きくする制御の変更を行うように構成され、また、制御部４４は、例えば、ジフルオロメタンの混合割合が１００重量％に比べて小さい場合にはジフルオロメタンの混合割合が１００重量％の場合と比べて、起動時の第１膨張弁２５ａの開度を小さくする制御の変更を行うように構成される。
【００７６】
例えば、ジフルオロメタンの混合割合が５０重量％でペンタフルオロエタンの混合割合が５０重量％である場合に比べてジフルオロメタンの混合割合が６０重量％でペンタフルオロエタンの混合割合が４０重量％の場合の方が、起動時の第１膨張弁２５ａの開度を所定パーセント増加させるように、制御部４４が構成されるなどである。例えば、ジフルオロメタンの混合割合が１００重量％である場合に比べてジフルオロメタンの混合割合が８０重量％でペンタフルオロエタンの混合割合が２０重量％の場合の方が、起動時の第１膨張弁２５ａの開度を所定パーセント減少させるように、制御部４４が構成されるなどである。このような構成を実現するには、起動時の第１膨張弁２５ａの開度とジフルオロメタンの混合割合との関係が記述されたテーブルを制御部４４が記憶しておき、制御部４４がそのテーブルに従って制御を変更する。あるいは、起動時の第１膨張弁２５ａの開度とジフルオロメタンの混合割合との関係を規定する数式を制御部４４が記憶しておき、その数式に従って制御を変更するように制御部４４を構成できる。
【００７７】
（３）変形例
（３−１）変形例１Ａ
上記実施形態では、冷凍サイクル装置１の第１熱源ユニット１０Ａも第２熱源ユニット１０Ｂも、冷凍サイクルの放熱と吸熱とを切り換えられるように構成されている場合について説明したが、冷凍サイクル装置１は、このような構成には限られない。冷凍サイクル装置１は、例えば、第１熱源ユニット１０Ａまたは第２熱源ユニット１０Ｂが冷媒から放熱させる熱源として機能する専用機であるとともに利用ユニット５０が冷媒へ吸熱させる装置として機能する専用機であってもよい。この場合、冷凍サイクル装置１が空気調和装置であれば冷房専用機になる。また、冷凍サイクル装置１は、例えば、第１熱源ユニット１０Ａまたは第２熱源ユニット１０Ｂが冷媒へ吸熱させる熱源として機能する専用機であるとともに利用ユニット５０が冷媒から放熱させる装置として機能する専用機であってもよい。この場合、冷凍サイクル装置１が空気調和装置であれば暖房専用機になる。
【００７８】
（３−２）変形例１Ｂ
上記実施形態では、冷凍サイクル装置１の第１熱源ユニット１０Ａを更新する場合について説明したが、冷凍サイクル装置１を新たに設置する場合についても、本開示の技術を適用することができる。
【００７９】
（３−３）変形例１Ｃ
上記実施形態では、冷凍サイクル装置１に充填される冷媒がＲ４１０Ａ冷媒とＲ３２冷媒である場合について説明したが、冷凍サイクル装置１に充填される冷媒は、この組合せには限られない。例えば、冷凍サイクル装置１に充填される冷媒がＲ４５２Ｂ冷媒とＲ３２冷媒であってもよい。
【００８０】
（３−４）変形例１Ｄ
上記実施形態では、冷凍サイクル装置１が利用ユニット５０を複数備えるマルチ型の冷凍サイクル装置１について説明した。しかし、本開示の技術が適用できる冷凍サイクル装置はマルチ型の冷凍サイクル装置には限られない。例えば、１台の熱源ユニットに１台の利用ユニットが接続されるペア型の冷凍サイクル装置に対しても、本開示の技術を適用することができる。また、冷凍サイクル装置に接続される熱源ユニットは、１台には限られず、複数台の熱源ユニットが接続されてもよい。
【００８１】
（３−５）変形例１Ｅ
上記実施形態では、第１熱源ユニット１０Ａの圧縮機１１を冷媒の移送の動力源に用いる場合について説明した。しかし、冷媒の移送の動力源は、第１熱源ユニット１０Ａの圧縮機１１には限られない。冷媒の移送には、例えば、内部に圧縮機を有する冷媒回収装置を用いてもよい。
【００８２】
（３−６）変形例１Ｆ
上記実施形態では、第１熱源ユニット１０Ａから第２熱源ユニット１０Ｂに冷媒を直接移送する場合について説明したが、図７に示されているように、一旦、第１熱源ユニット１０Ａから回収ボンベ８０に冷媒を移送し、その後回収ボンベ８０から第２熱源ユニット１０Ｂに冷媒を移送してもよい。この場合、計量器６１により回収冷媒が回収ボンベ８０の中に回収される前の回収ボンベ８０の重量と、回収ボンベ８０の中に回収冷媒が回収された後の回収ボンベ８０の重量とを測定し、回収前後の回収ボンベ８０の重量の差から回収冷媒の重量を測定するように構成してもよい。
【００８３】
このように回収ボンベ８０を使用する場合、例えば、第１熱源ユニット１０Ａが、電源２１０に接続されていて運転可能であれば、ポンプダウン運転によって、利用側回路１２０の冷媒を第１熱源ユニット１０Ａの熱源側回路１１０に移送する。そして、第１熱源ユニット１０Ａの高圧側閉鎖弁２１のサービスポートと回収ボンベ８０とをチャージホース７０で接続する。高圧側閉鎖弁２１のサービスポートと回収ボンベ８０にチャージホース７０が取り付けられることで、第１熱源ユニット１０Ａの熱源側回路１１０と回収ボンベ８０の間が連通する。その後、第１熱源ユニット１０Ａを運転して圧縮機１１を駆動し、第１熱源ユニット１０Ａの高圧側閉鎖弁２１のサービスポートから回収ボンベ８０へ冷媒を移送する。回収ボンベ８０を閉じて高圧側閉鎖弁２１のサービスポート及び回収ボンベ８０からチャージホース７０を取り外すことで、高圧側閉鎖弁２１のサービスポートが閉じられる。
【００８４】
第２熱源ユニット１０Ｂが組み込まれた後の冷凍サイクル装置１に対して、例えば、冷凍サイクル装置１の気密が検査され、冷凍サイクル装置１の気密が確認された後に真空ポンプによって冷凍サイクル装置１が真空引きされる。冷凍サイクル装置１に組み込まれた第２熱源ユニット１０Ｂに回収ボンベ８０から回収冷媒を移送するときには、図８に示されているように、回収ボンベ８０と第２熱源ユニット１０Ｂのチャージポート２３とをチャージホース７０で接続する。チャージポート２３と回収ボンベ８０にチャージホース７０が取り付けられることで、第２熱源ユニット１０Ｂの熱源側回路１１０と回収ボンベ８０の間が連通する。その後、第２熱源ユニット１０Ｂを運転して圧縮機１１を駆動し、回収ボンベ８０から第２熱源ユニット１０Ｂのチャージポート２３へ冷媒を移送する。回収ボンベ８０を閉じてチャージポート２３及び回収ボンベ８０からチャージホース７０を取り外すことで、チャージポート２３が閉じられる。
【００８５】
また、計量器６１により回収ボンベ８０の中に回収冷媒が回収された後の回収ボンベ８０の重量と、回収ボンベ８０から第２熱源ユニット１０Ｂに回収冷媒が移送された後の回収ボンベ８０の重量とを測定し、移送前後の回収ボンベ８０の重量の差から回収冷媒の重量を測定するように構成してもよい。
【００８６】
回収ボンベ８０を用いる場合も、予め第２熱源ユニット１０Ｂにチャージされていた単一冷媒の重量、及び回収冷媒と追加される冷媒とを含む混合冷媒の重量の合計が、更新後の冷凍サイクル装置１にとっての冷媒の適正な総重量の範囲内であればよい。
【００８７】
（３−７）変形例１Ｇ
上記実施形態では、第２熱源ユニット１０Ｂに冷媒が移送される前後の第１熱源ユニット１０Ａの重量を計量する場合について説明したが、図９に示されているように、第２熱源ユニット１０Ｂに冷媒が移送される前後の第２熱源ユニット１０Ｂの重量を計量してもよい。第２熱源ユニット１０Ｂは、計量器６１で重量を計量される。計量器６１による第２熱源ユニット１０Ｂに移送された回収冷媒の計量は、第２熱源ユニット１０Ｂに回収冷媒が移される前と、第２熱源ユニット１０Ｂに回収冷媒が移された後の両方で、第２熱源ユニット１０Ｂの重量を測定することにより行われる。第２熱源ユニット１０Ｂに回収冷媒が移された後の第２熱源ユニット１０Ｂについての計量器６１の計量値から、第２熱源ユニット１０Ｂに回収冷媒が移される前の第２熱源ユニット１０Ｂについての計量器６１の計量値を差し引くことで、回収冷媒の重量を算出することができる。
【００８８】
第１熱源ユニット１０Ａから第２熱源ユニット１０Ｂへの冷媒の移送では、例えば、第１熱源ユニット１０Ａが、電源２１０に接続されていて運転可能である場合、ポンプダウン運転によって、利用側回路１２０の冷媒を第１熱源ユニット１０Ａの熱源側回路１１０に移送する。例えば、高圧側閉鎖弁２１を閉じて、第１熱源ユニット１０Ａを冷房運転する。高圧側閉鎖弁２１を閉じて、第１熱源ユニット１０Ａの熱源側熱交換器１４を凝縮器として機能させる運転を行う。低圧側閉鎖弁２２の圧力が十分に低くなったら、低圧側閉鎖弁２２を閉じる。そして第１熱源ユニット１０Ａの高圧側閉鎖弁２１のサービスポートと第２熱源ユニット１０Ｂのチャージポート２３とをチャージホース７０で接続する。チャージポート２３及び高圧側閉鎖弁２１のサービスポートにチャージホース７０が取り付けられることで、第１熱源ユニット１０Ａの熱源側回路１１０と第２熱源ユニット１０Ｂの熱源側回路１１０の間が連通する。その後、第１熱源ユニット１０Ａを運転して圧縮機１１を駆動し、第１熱源ユニット１０Ａの高圧側閉鎖弁２１のサービスポートから第２熱源ユニット１０Ｂのチャージポート２３へ冷媒を移送する。チャージポート２３及び高圧側閉鎖弁２１のサービスポートからチャージホース７０を取り外すことで、チャージポート２３及び高圧側閉鎖弁２１のサービスポートが閉じられる。第２熱源ユニット１０Ｂの中には回収冷媒が移されているので、第２熱源ユニット１０Ｂが冷凍サイクル装置１に組み込まれることで、第２熱源ユニット１０Ｂの中の回収冷媒が冷凍サイクル装置１に充填される。
【００８９】
（３−８）変形例１Ｈ
上記実施形態及び変形例では、計量器６１を用いて回収冷媒の重量を測定する場合について説明したが、図１０に示されているように、第１熱源ユニット１０Ａから第２熱源ユニット１０Ｂに移送される回収冷媒の重量を、質量流量計６２を用いて測定してもよい。この場合には、測定システム６０に質量流量計６２が含まれる。質量流量計６２としては、コリオリ式流量計がある。コリオリ式流量計を用いれば、冷媒が気液二相状態で第１熱源ユニット１０Ａから第２熱源ユニット１０Ｂに移送されても、回収冷媒の質量を測定することができる。なお、本開示では、地球上における重力加速度の差が僅かであることから、質量流量計６２の計測値（ｋｇ）≒回収冷媒の重量（ｋｇｆ）として取り扱う。質量流量計６２を用いた測定は、第１熱源ユニット１０Ａを電源２１０に接続して第１熱源ユニット１０Ａから第２熱源ユニット１０Ｂに冷媒を移送する場合、第２熱源ユニット１０Ｂを電源２１０に接続して第１熱源ユニット１０Ａから第２熱源ユニット１０Ｂに冷媒を移送する場合、あるいは第１熱源ユニット１０Ａから第２熱源ユニット１０Ｂに回収ボンベ８０を介して冷媒を移送する場合のいずれの場合でも行うことができる。
【００９０】
（３−９）変形例１Ｉ
上記実施形態で説明した冷凍サイクル装置１の冷媒充填方法においては、第１熱源ユニット１０から冷媒を回収する前に、既設の冷凍サイクル装置１を運転して冷媒回路１００の中の冷媒を暖めるステップをさらに備えることが好ましい。
【００９１】
（３−１０）変形例１Ｊ
上記実施形態の冷凍サイクル装置１においては、更新後の冷凍サイクル装置１への充填でＲ４１０Ａ冷媒とＲ３２冷媒とが混合されて循環冷媒となった場合に、循環冷媒が不燃性になるように調整されることが好ましい。
【００９２】
例えば、初期充填冷媒がＲ４１０Ａ冷媒で、単一冷媒がＲ３２冷媒の場合、ペンタフルオロエタンが不燃性であるものの、Ｒ３２冷媒（ジフルオロメタン）が僅かではあるが燃焼性を有するため、充填された後の循環冷媒に占めるジフルオロメタンの割合が増加すると、循環冷媒が僅かな燃焼性を持つ可能性がある。そこで、予め循環冷媒が不燃性となるジフルオロメタンとペンタフルオロエタンの混合割合を調べておき、不燃性と判断できるジフルオロメタンの混合割合の上限閾値を決定しておく。これにより更新後の冷凍サイクル装置１が不燃性冷媒を想定した機器の場合、そのまま使用できる。測定された回収冷媒の重量と補充するＲ３２冷媒の重量から循環冷媒に占めるジフルオロメタンの混合割合が上限閾値より小さければ、循環冷媒が不燃性であると判断する。このようにして、循環冷媒が不燃性と判断できる場合には、Ｒ３２冷媒だけを補充する。もし、循環冷媒が不燃性と判断できない場合には、例えば、ペンタフルオロエタンなどの他の冷媒を足すなどして循環冷媒が不燃性になるように充填を行う。
【００９３】
（３−１１）変形例１Ｋ
図１１に示されているように、まず、工場などのチャージ場所３００において、ボンベ８５などで準備されているＲ３２冷媒を第２熱源ユニット１０Ｂに初期充填するように構成してもよい。Ｒ３２冷媒が詰められた状態で、トラックとクレーンなどの運送手段４００を使って、利用ユニット５０を接続して冷媒回路１００を構成する場所である建物２００の屋上まで、第２熱源ユニット１０Ｂが運送される。
【００９４】
第２熱源ユニット１０Ｂに初期充填されたＲ３２冷媒は、第２熱源ユニット１０Ｂの中で、２０℃において大気圧以上の絶対圧力を有する量まで詰められるのが好ましい。熱源側回路１１０の内部が大気圧以上であれば、第２熱源ユニット１０Ｂの外部から冷媒回路１００の内部に向って外気が侵入し難くなるからである。また、第２熱源ユニット１０Ｂに詰められたＲ３２冷媒は、第２熱源ユニット１０Ｂの中で、３５℃において１ＭＰａ未満の絶対圧力を有する量だけ詰められるのが好ましい。このように構成することで、少ない充填量で外気の侵入を防ぐことができる。さらには、第２熱源ユニット１０Ｂに詰められたＲ３２冷媒の圧力は、２０℃におけるゲージ圧で、２００ｋＰａ未満となることが好ましい。このように構成することで、さらに少ない充填量で外気の侵入を防ぐことができる。
【００９５】
この場合、現地で充填されるＲ４１０Ａ冷媒が設置時に追加充填される追加充填冷媒である。追加充填冷媒には、例えば回収冷媒を用いることができる。この場合、判断部４３は、冷凍サイクル装置１の設置時の冷媒の追加充填までに予め充填されている初期充填冷媒の組成及び重量と、設置時に追加充填される追加充填冷媒の組成及び重量とに基づいてジフルオロメタンの混合割合を判断する。
【００９６】
図１１を用いて説明した場合には、初期充填冷媒がＲ３２冷媒で、追加冷媒がＲ４１０Ａ冷媒であったが、変形例１Ｋにおける組合せは、このような組合せには限られない。例えば、初期充填冷媒がジフルオロメタンの混合割合がペンタフルオロエタンの混合割合よりも多い混合冷媒であってもよい。また、追加充填冷媒が、ジフルオロメタンとペンタフルオロエタンの混合冷媒であるが、ジフルオロメタンの混合割合がペンタフルオロエタンの混合割合よりも少ない混合冷媒であってもよい。
【００９７】
この場合、作業者は、入力装置４６から、初期充填冷媒の重量とともに初期充填冷媒の組成であるジフルオロメタンの混合割合とペンタフルオロエタンの混合割合を入力する。また、作業者は、入力装置４６から、追加充填冷媒の重量とともに初期充填冷媒の組成であるジフルオロメタンの混合割合とペンタフルオロエタンの混合割合を入力する。判断部４３は、初期充填冷媒の組成及び重量と追加充填冷媒の組成及び重量とに基づいて循環冷媒に占めるジフルオロメタンの混合割合を判断する。
【００９８】
（３−１２）変形例１Ｌ
上記実施形態及び変形例では、判断部４３が、冷媒回路１００に充填される複数種類の冷媒の重量に基づいてジフルオロメタンの混合割合を判断する場合について説明したが、
所定条件下での運転における圧縮機１１の冷媒の吐出温度に基づいてジフルオロメタンの混合割合を判断するように構成してもよい。
【００９９】
図１２には、Ｒ４１０Ａ冷媒の冷凍サイクルにおける比エンタルピーと圧力の関係が実線で示され、Ｒ３２冷媒の冷凍サイクルにおける比エンタルピーと圧力の関係が破線で示されている。図１２において、二点差線で示されている冷凍サイクルにおける比エンタルピーと圧力の関係は、ジフルオロメタンの混合割合とペンタフルオロエタンの混合割合がＲ４１０Ａ冷媒とＲ３２冷媒にあって不燃性の混合冷媒のものが示されている。二点差線で示されている状態よりもジフルオロメタンの混合割合が多くなってＲ３２冷媒に近づけば、ジフルオロメタンの混合割合が多くなるほど圧縮機１１から吐出された冷媒の温度が上昇する。従って、圧縮機１１から吐出された循環冷媒の温度（Ｅ点の温度）からジフルオロメタンとペンタフルオロエタンの混合冷媒に占めるジフルオロメタンの混合割合を判断することができる。
【０１００】
圧縮機１１の冷媒の吐出温度に基づいてジフルオロメタンの混合割合を判断する構成を実現するために、冷凍サイクル装置１は、圧縮機１１の吐出管に取り付けられている吐出管温度センサ９１を備えている。例えば、圧縮機１１の冷媒の吐出温度とジフルオロメタンの混合割合との関係が記述されたテーブルを制御部４４が記憶しておき、そのテーブルに従って制御部４４がジフルオロメタンの混合割合を判断するように構成できる。あるいは、圧縮機１１の冷媒の吐出温度とジフルオロメタンの混合割合との関係を示す数式を制御部４４が記憶しておき、その数式に従って制御部４４がジフルオロメタンの混合割合を判断するように構成できる。
【０１０１】
また、判断部４３が、吐出温度の代わりに、吐出過熱度に基づいてジフルオロメタンの混合割合を判断するように構成してもよい。吐出過熱度は、例えば、圧縮機１１の吐出圧力により定まる冷媒の飽和温度を吐出温度から差し引いた値である。従って、吐出過熱度を吐出温度の換わりに用いても、判断部４３が吐出過熱度に基づいてジフルオロメタンの混合割合を判断するように構成することができる。
【０１０２】
（３−１３）変形例１Ｍ
上記実施形態では、第１熱源ユニット１０Ａ及び第２熱源ユニット１０Ｂに過冷却熱交換器１５が設けられる場合について説明したが、第１熱源ユニット１０Ａ及び／または第２熱源ユニット１０Ｂに過冷却熱交換器１５が設けられなくてもよい。
【０１０３】
また、第１熱源ユニット１０Ａ及び第２熱源ユニット１０Ｂに油調整器１９が設けられる場合について説明したが、第１熱源ユニット１０Ａ及び／または第２熱源ユニット１０Ｂに油調整器１９が設けられなくてもよい。
【０１０４】
また、第１熱源ユニット１０Ａ及び第２熱源ユニット１０Ｂに冷媒調整器１８が設けられる場合について説明したが、第１熱源ユニット１０Ａ及び／または第２熱源ユニット１０Ｂに冷媒調整器１８が設けられなくてもよい。
【０１０５】
また、第１熱源ユニット１０Ａ及び第２熱源ユニット１０Ｂに油分離器１２が設けられる場合について説明したが、第１熱源ユニット１０Ａ及び／または第２熱源ユニット１０Ｂに油分離器１２が設けられなくてもよい。
【０１０６】
（４）特徴
（４−１）
上記実施形態の冷凍サイクル装置１では、ジフルオロメタンの混合割合に基づいて冷凍サイクルに関する制御を行っている。例えば、更新後の冷凍サイクル装置１に、現地で回収した冷媒を現地で充填して使用する場合には、現地で回収した回収冷媒だけでは不足が生じると、回収冷媒とは異なる組成の冷媒を充填することがある。また、回収冷媒中のジフルオロメタンの混合割合が時間の経過とともに変化していたりして、更新後の冷凍サイクル装置の中に占めるジフルオロメタンが、回収冷媒を使用しない正規の冷媒中のジフルオロメタンの割合と異なる場合がある。そのような場合に、冷凍サイクルに関する制御に影響を与えるジフルオロメタンの混合割合の判断を判断部４３で行えると、冷凍サイクルを適切に制御することができ、冷凍サイクル装置を正常な運転ができる状態に保つことができる。
【０１０７】
例えば、ジフルオロメタンとペンタフルオロエタンが循環冷媒に占める混合割合が、それぞれ５０重量％である場合、Ｒ４１０Ａ冷媒に適した制御で冷凍サイクル装置１の制御を行い、例えば、ジフルオロメタンとペンタフルオロエタンが循環冷媒に占める混合割合が、それぞれ５５重量％と４５重量％である場合にはＲ４１０Ａ冷媒に適した制御からジフルオロメタンが多い場合に適した制御に切り換えることができる。制御の切り換え方は、アナログ的に切り換えるように構成することができ、あるいはステップ状にデジタル的に切り換えるように構成することができる。
【０１０８】
（４−２）
上記実施形態の冷凍サイクル装置１では、ジフルオロメタンの混合割合に基づいて冷凍サイクルに関する制御を行う際のジフルオロメタンの混合割合が、判断部４３により、所定条件下での運転における圧縮機１１の冷媒の吐出温度に基づいて判断され、又は、冷媒回路１００に充填される複数種類の冷媒の重量に基づいて判断される。判断部４３をこのように構成することで、冷凍サイクルに関する制御に影響を与えるジフルオロメタンの混合割合の判断を判断部４３で容易に行うことができる。その結果、冷凍サイクル装置１は、ジフルオロメタンの混合割合が変わっても、正常な運転ができる状態を容易に保つことができる。
【０１０９】
（４−３）
上記実施形態では、判断部４３がＲ４１０Ａ冷媒の重量とＲ３２冷媒の重量に基づいてジフルオロメタンの混合割合を判断することから、ジフルオロメタンの混合割合の判断が精度良く行われる。その結果、制御部４４が行う冷凍サイクルに関する制御も精度良く行うことができる。
【０１１０】
（４−４）
上記実施形態では、最初にＲ４１０Ａが充填された第１熱源ユニット１０Ａから冷媒を回収して、回収冷媒を混合冷媒として更新後の第２熱源ユニット１０Ｂを含む冷凍サイクル装置１に充填するとともにＲ３２冷媒を追加充填する。このような場合には、通常、冷媒回路１００に充填されている循環冷媒に占めるジフルオロメタンの混合割合がペンタフルオロエタンの混合割合よりも多くなる。このように、冷媒回路１００に充填されている冷媒に占めるジフルオロメタンの混合割合がペンタフルオロエタンの混合割合よりも多くなる場合、冷媒回路１００に充填されている循環冷媒の性質がＲ３２に大きく影響される。そのため、冷凍サイクル装置１の制御部４４が、判断部４３の判断したジフルオロメタンの混合割合に基づいて冷凍サイクルに関する制御を行うことにより、冷凍サイクル装置１が冷凍サイクルについて正常な運転を維持できるようにする効果が顕著になる。
【０１１１】
（４−５）
上記変形例１Ｋで説明したように、第２熱源ユニット１０Ｂに対して、工場などで初期充填を行い、判断部４３が、例えば入力装置４６から入力された初期充填冷媒の組成及び重量と追加充填冷媒の組成及び重量とに基づいてジフルオロメタンの混合割合を判断する。その結果、冷凍サイクル装置１では、ジフルオロメタンの混合割合の判断の精度が向上する。
【０１１２】
（４−６）
上記変形例１Ｋで説明した初期充填冷媒がＲ３２冷媒であり、追加充填冷媒がＲ４１０Ａ冷媒である場合には、判断部４３が組成に関する情報を得る必要がなくなるので、冷凍サイクル装置１は、ジフルオロメタンの混合割合を判断する操作を簡易化することができる。また、作業者も、入力装置４６などから組成に関する情報を入力する手間が省ける。
【０１１３】
（４−７）
上記実施形態の冷凍サイクル装置１では、判断部４３が判断したジフルオロエタンの混合割合が所定割合に比べて大きい場合の圧縮機１１の回転数が所定割合の場合の回転数より大きい。そのため、循環冷媒に占めるジフルオロエタンの混合割合が大きくても、圧縮機１１に吸入される循環冷媒の乾き度が小さくなり過ぎない。その結果、圧縮機１１に液相の循環冷媒が吸入されるリスクが低くなり、冷凍サイクル装置１が正常な運転ができる状態を保つことができる。
【０１１４】
（４−８）
上記実施形態の冷凍サイクル装置１では、判断部４３が判断したジフルオロメタンの混合割合が５０重量％に比べて大きい場合にはジフルオロメタンの混合割合が５０重量％の場合と比べて圧縮機１１のインジェクションポートに注入する頻度が多い。そのため、冷凍サイクル装置１では、ジフルオロメタンの混合割合が大きくてもインジェクションによって圧縮機１１の吐出温度が抑制され、冷凍サイクルにおける圧縮後の循環冷媒の温度の上がりすぎが抑制される。また、上記実施形態の冷凍サイクル装置１では、ジフルオロメタンの混合割合が１００重量％に比べて小さい場合にはジフルオロメタンの混合割合が１００重量％の場合と比べて圧縮機１１のインジェクションポートに注入する頻度が少ない。そのため、冷凍サイクル装置１では、ジフルオロメタンの混合割合が小さくても過度のインジェクションが抑制され、インジェクションのし過ぎによる効率の低下が抑制される。
【０１１５】
（４−９）
上記実施形態の冷凍サイクル装置１は、冷凍サイクルにおいて循環冷媒の圧力を下げる第１膨張弁２５ａを有している。判断部４３が判断したジフルオロメタンの混合割合が５０重量％に比べて大きい場合にはジフルオロメタンの混合割合が５０重量％の場合より圧縮機起動時の第１膨張弁２５ａの開度が小さく、且つジフルオロメタンの混合割合が１００重量％に比べて小さい場合にはジフルオロメタンの混合割合が１００重量％の場合より圧縮機起動時の第１膨張弁２５ａの開度が大きい。そのため、冷凍サイクル装置１では、ジフルオロメタンの混合割合が変化したことによって循環冷媒による熱の搬送量の変化により冷凍サイクルの状態が変わっても、熱の搬送量の変化を抑制することができる。その結果、フルオロメタンの混合割合が変化しても、冷凍サイクル装置１は、適正な動作をすることができる。
【０１１６】
以上、本開示の実施形態を説明したが、特許請求の範囲に記載された本開示の趣旨及び範囲から逸脱することなく、形態や詳細の多様な変更が可能なことが理解されるであろう。
【符号の説明】
【０１１７】
１  冷凍サイクル装置
１０Ａ  第１熱源ユニット
１１  圧縮機
２５ａ  第１膨張弁
４３  判断部
４４  制御部
１００  冷媒回路
１１０  熱源側回路
１２０  利用側回路
【先行技術文献】
【特許文献】
【０１１８】
【特許文献１】特開２００３−２４０３８８号公報
【図１】
2020066924.tif 000003
【図２】
2020066924.tif 000004
【図３】
2020066924.tif 000005
【図４】
2020066924.tif 000006
【図５】
2020066924.tif 000007
【図６】
2020066924.tif 000008
【図７】
2020066924.tif 000009
【図８】
2020066924.tif 000010
【図９】
2020066924.tif 000011
【図１０】
2020066924.tif 000012
【図１１】
2020066924.tif 000013
【図１２】
2020066924.tif 000014
【国際調査報告】
2020066924.tif 000015
2020066924.tif 000016
2020066924.tif 000017
2020066924.tif 000018